(57)【特許請求の範囲】
【請求項１】
電動モータによって駆動される回転軸を、スパイラル状のケーシングの一側壁から突設し、この回転軸に取り付けた羽根車の回転に伴って、ケーシングの他側壁に形成した吸気部から外気を吸入して、ケーシング外周部の排出流路から接線方向に排出するよう構成した施肥装置用のブロワであって、
前記排出流路と、羽根車の回転方向に沿う循環流路との分岐部位に設けられた舌部を、ケーシングにおける前記一側壁がわの舌部分が他側壁がわの舌部分よりも回転中心側に偏るよう形成し、
前記舌部に連なる排出流路の内面を、前記一側壁がわの内面が他側壁がわの内面よりも先行して拡張してあることを特徴とする施肥装置用の遠心ブロワ。
【発明の詳細な説明】
【０００１】
【発明の属する技術分野】
本発明は、本発明は、ホッパーから繰り出された肥料を施肥箇所にまで風力搬送するよう構成した施肥装置に用いる遠心ブロワに関する。
【０００２】
【従来の技術】
遠心ブロワを用いて肥料を風力搬送する施肥装置では、例えば特開平９‐５６２３１号公報で開示されているように、運転席の後部に配置された肥料タンクから繰り出された複数条分の肥料を風力搬送するために、並列配備された各条の繰り出し装置の繰り出し部に亘って横長の分配管を配備するとともに、この分配管に一端に電動モータで駆動される遠心ブロワを接続し、遠心ブロワから圧送された空気を分配管によって各条の繰り出し装置に分配供給する構造が採用されている。
【０００３】
図８に一般的な遠心ブロワの構成が示されている。この遠心ブロワ５０は、スパイラル状のケーシング５１内で羽根車５２を電動モータ５５で駆動回転することで、ケーシング５１の側面中央の吸気部５６から外気を吸入し、ケーシング５１の周部に設けた排出流路５３に沿って接線方向に排出するよう構成されている。また、この遠心ブロワ５０においては、図中に示すように、排出流路５３の周壁と、ケーシング５１の周壁とが突き合わされる部位に鋭角の舌部５４が形成され、羽根車５２の回転に伴って発生した気流が、舌部５４おいて排出流路５３に向かう主気流Ｆ1 とケーシング５１の周部に沿って再循環する循環気流Ｆ2 とに分岐されるようになっている。
【０００４】
【発明が解決しようとする課題】
このような構成においては、電動モータ５５の耐久性を高める上で、ケーシング５１からモータ冷却風を取り入れることが望ましい。これによると、モータ冷却用気流が羽根車５２の回転中心側に引き込まれる影響で、ケーシング５１の周部に沿って流動する気流のうちで、モータ設置側となるケーシング一側壁がわに沿って流れる気流が、吸気部設置側となるケーシング一他側壁がわに沿って流れる気流よりも若干羽根車回転中心寄りに偏って舌部５４に向かうことになり、この偏向した気流が舌部５４にぶつかることで、舌部５４の先端部付近で乱流や気流のよどみが発生して、排出流路５３に向かう主気流Ｆ1 の流量が減少するとともに、乱流や気流のよどみに起因する圧力変動によってブロワ駆動騒音が大きくなることが考察された。
【０００５】
本発明は、このような点に着目してなされたものであって、舌部における分岐流動を適正に行わせることで排出流路への送風効率を高めることを主たる目的とする。
【０００６】
【課題を解決するための手段】
（請求項１記載の発明の構成、作用、および、効果）
【０００７】
（構成）  請求項１記載の発明は、電動モータによって駆動される回転軸を、スパイラル状のケーシングの一側壁から突設し、この回転軸に取り付けた羽根車の回転に伴って、ケーシングの他側壁に形成した吸気部から外気を吸入して、ケーシング外周部の排出流路から接線方向に排出するよう構成した施肥装置用のブロワであって、
前記排出流路と、羽根車の回転方向に沿う循環流路との分岐部位に設けられた舌部を、ケーシングにおける前記一側壁がわの舌部分が他側壁がわの舌部分よりも回転中心側に偏るよう形成し、
前記舌部に連なる排出流路の内面を、前記一側壁面がわの内面が他側壁面がわの内面よりも先行して外側に拡張してあることを特徴とする。
【０００８】
（作用）  上記構成によると、モータ冷却用の気流が羽根車の回転中心側に引き込まれる影響で、ケーシングの周部に沿って流動する気流のうちで、モータ設置側となるケーシング一側壁がわに沿って流れる気流が、吸気部設置側となるケーシング他側壁がわに沿って流れる気流より羽根車回転中心側に若干偏って舌部に向かうことになるが、ケーシング一側壁がわの舌部分が他側壁がわの舌部分よりも回転中心側に偏って位置することで、羽根車回転中心側に偏って舌部に向かう気流が、この偏位する舌部分によって主気流と循環気流とに滑らかに分岐され、主気流は排気流路に導かれてゆく。
【０００９】
（効果）  従って、請求項１の発明によると、ケーシング一側壁への電動モータの取付け等の影響を受けて気流が偏向されても、舌部で円滑良好に主気流と循環気流とに分岐できるので、舌部の先端部で乱流や気流のよどみが発生するのを抑制でき、効率のよい送風が可能になるとともに、これら乱流や気流のよどみに起因する圧力変動も低減することが可能となった。その結果、回転速度を低下させても所望の風量を確保することが容易となり、静粛な運転を効率よく行うことができるようになった。
【００１０】
【００１１】
【００１２】
（作用）  上記構成によると、偏位された舌部分で分岐された主気流は、偏位されない舌部分で分岐された主気流よりも、排出経路に対して少し外向きとなる。ここで、舌部に連なる排出流路の内面を、一側壁がわの内面が他側壁がわの内面よりも先行して外側に拡張することで、偏位された舌部分で分岐された主気流は、この先行して拡張された排出流路の内面に沿って円滑に流動する。
【００１３】
（効果）従って、請求項１の発明によると、排出流路への主流の流動を一層円滑化することができ、上記効果をもたらすとともに、更に効率のよい送風を行うことが可能となった。
【００１４】
【発明の実施の形態】
図１に、施肥装置付き田植機の全体側面が示されている。この田植機は、乗用型の走行機体１の後部に昇降リンク機構２を介して昇降自在に苗植付装置３が連結されるとともに、走行機体１の後部に施肥装置４が搭載されている。
【００１５】
走行機体１は、その前部に搭載されたエンジン５、エンジン５からの動力が伝達される変速装置６、変速装置６を経由した変速後の動力が伝達される左右一対の前輪７と後輪８、前輪７を操向するステアリングハンドル９、及び運転座席１０、などによって構成されている。
【００１６】
苗植付装置３は、変速装置７を経由した変速後の動力が伝達されるフィードケース１１、植付伝動ケース１２、植付伝動ケース１２の後部左右両側に軸支されたロータリ式の植付機構１３、所定のストロークで往復横移動される苗載台１４、及び、整地フロート１５、などによって構成されている。
【００１７】
図１〜３に示すように、施肥装置４は、粉粒状の肥料を貯留するホッパー１６、ホッパー１６内の肥料を所定量ずつ繰り出す繰出機構１７、整地フロート１５の左右両部に装着された作溝器１８、繰出機構１７と作溝器１８とを連通接続する供給ホース１９、繰出機構１７から繰り出された肥料を供給ホース１９を介して作溝器１８に向けて圧送する遠心ブロワ２０、及び、走行機体１に装備された動力分配機構２１の出力軸２１ａから繰出機構１７の入力軸１７ａに亘って架設された施肥用伝動機構２２、などによって構成されており、ホッパー１６と繰出機構１７が走行機体１における運転座席１０の後部箇所に配設されるようになっている。
【００１８】
施肥用伝動機構２２は、動力分配機構２１における出力軸２１ａの両端に位相が異なる状態で一体回転可能に連結された左右一対の回転アーム２３、各繰出機構１７に亘るように架設された単一の駆動軸２４、駆動軸２４と各入力軸１７ａとの間に介装された断続クラッチ機構２５、駆動軸２４にワンウェイクラッチ２６を介して連結された左右一対の揺動アーム２７、及び、対応する回転アーム２３と揺動アーム２７とを連係するロッド２８、などによって、回転運動を往復揺動運動に変換した後、ワンウェイクラッチ２６を介して往復揺動運動の一方向のみを伝動することによって、各繰出機構１７を間歇駆動するように構成されている。
【００１９】
図２〜５に示すように、遠心ブロワ２０は、羽根車２９、これを回転駆動する電動モータ３０、及び、羽根車２９を外囲するスパイラル状のケーシング３１、などによって構成されており、ケーシング３１の周部に接線方向に向けて開口された排気口Ｘが、各繰出機構１７の導風口１７ｂに接続されるように各繰出機構１７に亘って横架された大径の給気パイプ３２の左端部に接続されている。
【００２０】
つまり、この施肥装置４は、各繰出機構１７がホッパー１６から所定量の肥料を繰り出し、繰り出された肥料を遠心ブロワ２０からの送風にのせて各供給ホース１９を介して各作溝器１８に向けて風力搬送し、作溝器１８によって圃場に形成された施肥溝に肥料を埋設するようになっているのである。
【００２１】
尚、図２及び図３における符号１７ｃは、各繰出機構１７に形成された肥料供給口であり、この肥料供給口１７ｃに対応する供給ホース１９が接続されるようになっている。図２における符号３３は、供給ホース１９が接続されない肥料供給口１７ｃを閉塞するキャップである。図３における符号１７ｄは、各繰出機構１７に形成された残肥排出口、又、符号３４は、この残肥排出口１７ｄに接続される残肥排出ホースであり、ホッパー１６内の余剰肥料を残肥排出口１７ｄから残肥排出ホース３４を介して外部に排出できるようになっている。
【００２２】
図２及び図４〜５に示すように、遠心ブロワ２０は、その排気口Ｘが、走行機体１における運転座席１０の後部箇所に配設された各繰出機構１７に亘って架設される給気パイプ３２の左端部に接続されることにより、操縦部１Ａの近傍箇所となる運転座席１０の左後部における左側の後輪８の左上方箇所に位置するようになっている。そのため、遠心ブロワ２０は、そのケーシング３１の後側面に吸気口Ｙが位置する姿勢で配設されるとともに、そのケーシング３１には、吸気口Ｙを下向きに変更する吸気ダクト３５が接続されており、これによって、吸気口Ｙから排出されるブロワ２０の騒音を操縦部１Ａから遠ざけることができるようになっている。また、吸気ダクト３５の吸気口Ｙに対向する位置には、吸気口Ｙに面する障壁体３６が、その後輪８側ほど吸気口Ｙに近接する傾斜姿勢で配設されており、この壁体３６によって左側の後輪８により跳ね上げられた泥土や泥水などの吸気ダクト３５内への入り込みを防止できるとともに、吸気口Ｙからの必要量の外気の取り入れを行えるようになっている。
【００２３】
図２，図４，図５に示すように、障壁体３６は、吸気ダクト３５における吸気口Ｙの周縁部を形成する周縁部材３８の縦壁部３８Ａに取り付けられている。周縁部材３８は、その周壁３８Ｂが、吸気口Ｙの周囲に降る雨水を受け止めるとともに、受け止めた雨水を縦壁３８Ａにおける吸気口Ｙの反対側から壁体３６の下方へ流下させるようになっており、もって、雨天作業時に遠心ブロワ２０が外気とともに雨水を吸気口Ｙから取り入れることに起因して、肥料詰まりなどの施肥不良が発生することを回避できるようになっている。また、障壁体３６の周縁と周縁部材３８の周壁部３８Ｂとに亘って、周方向に所定間隔をもって多数の縦向きルーバ３９が架設されており、これによって、吸気口Ｙと壁体３６の間を通って他物が吸気口Ｙから入り込むことを抑制できるようにしている。
【００２４】
本発明では、前記前記遠心ブロワ２０に工夫を施したものであり、その詳細を以下に説明する。
【００２５】
図６に示すように、遠心ブロワ２０のケーシング３１は、前側ケーシング部分３１ａと後側ケーシング部分３１ｂとを接合連結した前後二つ割り構造となっており、前側ケーシング部分３１ａの前側の一側壁から、前記電動モータ３０によって高速回転駆動される回転軸３９が、後側ケーシング部分３１ｂに形成した吸気ダクト３５側に向けて片持ち状に突設され、この回転軸３９に羽根車２９が取り付け固定されている。羽根車２９には、回転中心近くから外周に亘る湾曲放射状の多数の主羽根４０が周方向一定ピッチで設けられるとともに、ケーシング３１の周部には、排出口Ｘに向かう筒状の排出流路４１が、羽根車回転方向に対して接線方向に延出されている。
【００２６】
また、排出流路４１の周壁と、ケーシング３１の周壁とが突き合わされる部位に鋭角の舌部４２が形成され、羽根車２９の回転に伴って発生した気流が、舌部４２において排出流路４１に向かう主気流Ｆ1 とケーシングの周部に沿って再循環する循環気流Ｆ2 とに分岐されるようになっている。
【００２７】
図７に示すように、前記舌部４２は、前側ケーシング部分３１ａに属する舌部分４２ａと、後側ケーシング部分３１ｂに属する舌部分４２ｂとを前後に接合して形成されており、かつ、前側ケーシング部分３１ａに属する舌部分４２ａが、前側ケーシング部分３１ａの側壁に近づくほど羽根車回転中心側に偏位するよう形成されている。また、前記舌部４２に連なる排出流路４１の内面を、前側ケーシング部分３１ａがわの内面Ｓａが後側ケーシング部分３１ｂがわの内面Ｓｂよりも先行して外側に拡張されている。
【００２８】
上記構成によると、モータ冷却用に気流が羽根車２９の回転中心側に引き込まれる影響で、ケーシング３１の周部に沿って流動する気流のうちで、前側ケーシング部分３１ａの側壁に沿って流れる気流が、後側ケーシング部分３１ｂの側壁に沿って流れる気流より羽根車回転中心側に若干偏って舌部に向かうことになるが、前側ケーシング部分３１ａに属する舌部分４２ａが後側ケーシング部分３１ｂに属する舌部分４２ｂよりも回転中心側に偏って位置することで、羽根車回転中心側に偏って舌部分４２ａに向かう気流を、この偏位する舌部分４２ａによって滑らかに主気流Ｆ1(ａ) と循環気流Ｆ2(ａ) とに分岐して、主気流Ｆ1 を排気流路４１に導くことができる。
【００２９】
また、偏位された舌部分４２ａで分岐された主気流Ｆ1(ａ) は、偏位されない舌部分４２ｂで分岐された主気流Ｆ1(ｂ) よりも、排出経路４１に対して少し外向きとなる。ここで、舌部４２に連なる排出流路４１の内面を、前側ケーシング部分３１ａに属する内面Ｓａが後側ケーシング部分３１ｂに属する内面Ｓｂよりも先行して外側に拡張するよう形成してあるので、偏位された舌部分４２ａで分岐された主気流Ｆ1(ａ) は、この先行して拡張された排出流路内面Ｓａに沿って円滑に流動する。
【図面の簡単な説明】
【図１】施肥装置付き田植機の全体側面図
【図２】施肥装置の構成及びブロワの配置を示す背面図
【図３】施肥装置の構成を示す要部の縦断側面図
【図４】遠心ブロワ全体の側面図
【図５】遠心ブロワ全体の背面図
【図６】（イ）遠心ブロワの横断平面図
（ロ）遠心ブロワの縦断背面図
【図７】（イ）遠心ブロワの要部の横断平面図
（ロ）図７（イ）におけるＡ−Ａ線断面図
（ハ）図７（イ）におけるＢ−Ｂ線断面図
【図８】（イ）一般的な遠心ブロワの横断平面図
（ロ）その縦断背面図
【符号の説明】
２９        羽根車
３０        電動モータ
３１        ケーシング
４１        排出流路
４２        舌部
４２ａ      舌部分（モータ設置側）
４２ｂ      舌部分（吸気部設置側）
Ｓａ        排出流路の内面（モータ設置側）
Ｓｂ        排出流路の内面（吸気部設置側）
【図１】
0003575977.tif 000002
【図２】
0003575977.tif 000003
【図３】
0003575977.tif 000004
【図４】
0003575977.tif 000005
【図５】
0003575977.tif 000006
【図６】
0003575977.tif 000007
【図７】
0003575977.tif 000008
【図８】
0003575977.tif 000009